(57)【要約】      （修正有）【課題】誤った撮影モードで被検眼を撮影してしまう事態を防止する技術を提供する。【解決手段】アタッチメントが装着されていない状態で被検眼の撮影を行う第１撮影と、アタッチメントが装着されている状態で被検眼の撮影を行う第２撮影とを実行可能な眼科装置は、操作部と、アタッチメントの装着状態を判定する装着判定部と、操作部を用いて指定された撮影モードとアタッチメントの装着状態との対応関係の適否を、撮影モードとアタッチメントの装着状態との対応関係を示すテーブル情報に基づいて判定する対応判定部と、対応関係が適正ではないと判定された場合、少なくとも撮影モードでの撮影を禁止するための制御を行う制御部とを含み、アタッチメントの装着状態が変更されたとき、対応判定部は、テーブル情報に基づいて対応関係の適否を再度判定し、制御部は、対応関係が適正であると判定された場合に、撮影モードの撮影の禁止を解除する。【選択図】図２
2020075139.tif 000002
【特許請求の範囲】
【請求項１】
アタッチメントが装着されていない第１状態で被検眼の撮影を行う第１撮影と、前記アタッチメントが装着されている第２状態で前記被検眼の撮影を行う第２撮影とを実行可能な眼科装置であって、
前記第１撮影を行うための第１撮影モード又は前記第２撮影を行うための第２撮影モードを指定するための操作部と、
前記アタッチメントが装着されているか否かを判定する装着判定部と、
前記操作部を用いて指定された撮影モードと前記装着判定部により得られた前記アタッチメントの装着状態との対応関係の適否を、前記撮影モードと前記アタッチメントの装着状態との対応関係を示すテーブル情報に基づいて判定する対応判定部と、
前記対応関係が適正ではないと前記対応判定部により判定された場合、少なくとも前記指定された撮影モードでの撮影を禁止するための制御を行う制御部と
を含み、
前記アタッチメントの装着状態が変更されたとき、前記対応判定部は、前記テーブル情報に基づいて前記対応関係の適否を再度判定し、前記制御部は、前記対応関係が適正であると判定された場合に前記指定された撮影モードの撮影の禁止を解除する、眼科装置。
【請求項２】
２以上の撮影モードに対応する２以上のアタッチメントが選択的に装着された状態で被検眼の撮影を行う眼科装置であって、
撮影モードを指定するための操作部と、
装着されているアタッチメントの種別を特定する種別特定部と、
前記操作部を用いて指定された撮影モードと前記種別特定部により得られたアタッチメントの種別との対応関係の適否を、前記撮影モードと前記アタッチメントの種別との対応関係を示すテーブル情報に基づいて判定する対応判定部と、
前記対応関係が適正ではないと前記対応判定部により判定された場合、少なくとも前記指定された撮影モードでの撮影を禁止するための制御を行う制御部と
を含み、
前記アタッチメントの装着状態が変更されたとき、前記対応判定部は、前記テーブル情報に基づいて前記対応関係の適否を再度判定し、前記制御部は、前記対応関係が適正であると判定された場合に前記指定された撮影モードの撮影の禁止を解除する、眼科装置。
【請求項３】
被検眼を撮影するための光学系を含み、
前記対応関係が適正であると前記対応判定部により判定された場合、前記制御部は、前記指定された撮影モードに応じて前記光学系の制御を行う
ことを特徴とする請求項１または請求項２に記載の眼科装置。
【請求項４】
前記撮影を禁止するための制御は、表示手段に報知情報を表示させる表示制御を含む
ことを特徴とする請求項１〜請求項３のいずれか一項に記載の眼科装置。
【請求項５】
前記アタッチメントは、前眼部を撮影するための光学アタッチメントであり、
前記第１撮影モードは、眼底撮影モードであり、
前記第２撮影モードは、前眼部撮影モードである
ことを特徴とする請求項１に記載の眼科装置。
【請求項６】
前記被検眼を撮影するための光学系と、
前記光学系の操作を行うための光学系操作部と
を含み、
前記制御部は、前記光学系操作部から信号の入力を受けたとき、現に実行されている撮影モードに応じて前記光学系の制御を行う
ことを特徴とする請求項１〜請求項５のいずれか一項に記載の眼科装置。
【請求項７】
少なくとも眼底撮影モードおよび前眼部撮影モードを実行可能であり、
前記光学系は、
前記被検眼の眼底を撮影するための撮影光学系と、
光コヒーレンストモグラフィにより前記被検眼に関する情報を取得するための干渉光学系と
を含み、
前記光学系操作部は、前記被検眼に対する前記光学系の合焦を行うための合焦操作部を含み、
前記制御部は、前記眼底撮影モードが実行されているときに前記合焦操作部が操作された場合、前記撮影光学系および前記干渉光学系の双方の合焦位置を移動させ、前記前眼部撮影モードが実行されているときに前記合焦操作部が操作された場合、前記撮影光学系の合焦位置のみを移動させる
ことを特徴とする請求項６に記載の眼科装置。
【発明の詳細な説明】
【技術分野】
【０００１】
本発明は、眼科装置に関する。
【背景技術】
【０００２】
眼科分野においては様々な装置が用いられる。たとえば、被検眼の画像を取得するための装置（撮影装置）や、被検眼を検査するための装置（検査装置）などが用いられる。撮影装置としては、光コヒーレンストモグラフィ（Ｏｐｔｉｃａｌ  Ｃｏｈｅｒｅｎｃｅ  Ｔｏｍｏｇｒａｐｈｙ：以下、ＯＣＴ）装置、眼底カメラ、スリットランプ、走査型レーザ検眼鏡（ＳＬＯ）などがある。検査装置としては、レフラクトメータ、ケラトメータ、眼圧計、視野計などがある。また、２以上の装置を組み合わせてなる複合機も使用されている。
【０００３】
いくつかの眼科装置においては、撮影や検査のための主たる光路から外れた位置に、被検眼の前眼部（角膜等）を照明するための光源が設けられている。また、所定の機能を任意的に適用するためのアタッチメントを装着可能な眼科装置も各種存在する。典型的なアタッチメントとして、撮影や検査のための光学系と被検眼との間に配置される光学系を含むアタッチメントがある。
【先行技術文献】
【特許文献】
【０００４】
【特許文献１】特開２０１３−２１２３１４号公報
【発明の概要】
【発明が解決しようとする課題】
【０００５】
しかしながら、従来の眼科装置では、アタッチメントの装着状態や種別に応じて撮影モードを切り替えて、当該アタッチメントに対応した所定の撮影機能を実現していた。そのため、アタッチメントの装着状態や種別に対応しない撮影モードで撮影を行った場合、所望の撮影を行うことができず、撮影のやり直しなどが必要になっていた。
【０００６】
この発明の目的は、誤った撮影モードで被検眼を撮影してしまう事態を防止するための技術を提供することにある。
【課題を解決するための手段】
【０００７】
実施形態に係る眼科装置は、アタッチメントが装着されていない第１状態で被検眼の撮影を行う第１撮影と、前記アタッチメントが装着されている第２状態で前記被検眼の撮影を行う第２撮影とを実行可能な眼科装置であって、前記第１撮影を行うための第１撮影モード又は前記第２撮影を行うための第２撮影モードを指定するための操作部と、前記アタッチメントが装着されているか否かを判定する装着判定部と、前記操作部を用いて指定された撮影モードと前記装着判定部により得られた前記アタッチメントの装着状態との対応関係の適否を、前記撮影モードと前記アタッチメントの装着状態との対応関係を示すテーブル情報に基づいて判定する対応判定部と、前記対応関係が適正ではないと前記対応判定部により判定された場合、少なくとも前記指定された撮影モードでの撮影を禁止するための制御を行う制御部とを含み、前記アタッチメントの装着状態が変更されたとき、前記対応判定部は、前記テーブル情報に基づいて前記対応関係の適否を再度判定し、前記制御部は、前記対応関係が適正であると判定された場合に前記指定された撮影モードの撮影の禁止を解除する、眼科装置である。
また、実施形態に係る眼科装置は、２以上の撮影モードに対応する２以上のアタッチメントが選択的に装着された状態で被検眼の撮影を行う眼科装置であって、撮影モードを指定するための操作部と、装着されているアタッチメントの種別を特定する種別特定部と、前記操作部を用いて指定された撮影モードと前記種別特定部により得られたアタッチメントの種別との対応関係の適否を、前記撮影モードと前記アタッチメントの種別との対応関係を示すテーブル情報に基づいて判定する対応判定部と、前記対応関係が適正ではないと前記対応判定部により判定された場合、少なくとも前記指定された撮影モードでの撮影を禁止するための制御を行う制御部とを含み、前記アタッチメントの装着状態が変更されたとき、前記対応判定部は、前記テーブル情報に基づいて前記対応関係の適否を再度判定し、前記制御部は、前記対応関係が適正であると判定された場合に前記指定された撮影モードの撮影の禁止を解除する、眼科装置である。
【発明の効果】
【０００８】
この発明によれば、誤った撮影モードで被検眼を撮影してしまう事態を防止することが可能である。
【図面の簡単な説明】
【０００９】
【図１】実施形態に係る眼科装置の構成の一例を表す概略図である。
【図２】実施形態に係る眼科装置の構成の一例を表す概略図である。
【図３】実施形態に係る眼科装置の動作説明図である。
【図４】実施形態に係る眼科装置の動作例を表すフローチャートである。
【図５】実施形態に係る眼科装置の動作を説明するための概略図である。
【図６】実施形態に係る眼科装置の動作説明図である。
【図７】実施形態に係る眼科装置の動作例を表すフローチャートである。
【発明を実施するための形態】
【００１０】
この発明に係る眼科装置の実施形態の一例について、図面を参照しながら詳細に説明する。以下の実施形態では、眼科装置として、たとえば特開２００８−７３０９９号公報に開示された装置と同様に、フーリエドメインタイプのＯＣＴ（より具体的には、スペクトラルドメインＯＣＴ）により被検眼のＯＣＴ画像および眼底像の双方を取得するための眼科装置を例に説明する。以下の実施形態では、被検眼のＯＣＴ画像として、被検眼の眼底および前眼部のＯＣＴ画像の取得が可能である。また、以下の実施形態に係る眼科装置は、さらに、被検眼を検査するための眼科検査装置の機能を有していてもよい。
【００１１】
また、以下では、アタッチメントの装着状態やその種別に応じて撮影モードを切り替えることにより当該アタッチメントに対応した被検眼の撮影画像を取得する場合について説明するが、これに限定されるものではない。以下では、アタッチメントの装着状態やその種別に対応した撮影モードで、被検眼における所望の撮影対象部位の撮影を行うものとする。アタッチメントには、対物レンズの前側に配置される１以上の光学素子を有する光学的アタッチメントや、被検者の顔を好適位置に配置させる顔受け（額当て、顎受け）アタッチメントなどがあるが、以下の実施形態では、主として、前者を例に説明する。
【００１２】
〔第１実施形態〕
［構成］
第１実施形態に係る眼科装置の構成の一例を図１に示す。眼科装置１は、被検眼Ｅの撮影を行う機能を備える。特に、眼科装置１は、被検眼Ｅの眼底Ｅｆを撮影する機能と、被検眼Ｅの前眼部Ｅａを撮影する機能とを備える。眼科装置１は、光学ユニット２と、移動機構５と、制御部７と、ユーザインターフェイス８とを含む。また、眼科装置１は、光学ユニット２に対して装着自在に構成されたアタッチメント４を含んでもよい。
【００１３】
（光学ユニット２）
光学ユニット２は、被検眼Ｅの撮影を行うための光学系２０を有する。光学系２０は、被検眼Ｅの撮影を行うための各種の光学素子を含む。また、光学ユニット２は、光学系２０を構成する光学素子を移動させたり回転させたりするための機構を含んでいてもよい。光学系２０には、特に、干渉光学系２１と、撮影光学系２２とが含まれている。
【００１４】
干渉光学系２１は、一般的なＯＣＴ装置と同様に、次の構成要素を含む：光源（低コヒーレンス光源、波長掃引光源など）；光源から出力された光を測定光と参照光とに分割し、且つ、被検眼Ｅからの測定光の戻り光と参照光とを干渉させるファイバカプラ；ＯＣＴ計測用の光路（測定光および／または参照光の光路）の光路長を変更するための手段；干渉光学系２１の合焦位置を変更するための合焦レンズなどの各種の光学素子；ファイバカプラにより生成された干渉光を検出する検出部（分光器、バランスドフォトディテクタなど）。この場合、眼科装置１は、検出部による干渉光の検出結果に基づいて被検眼Ｅ（眼底Ｅｆ、前眼部Ｅａなど）の断面像や３次元画像を形成する回路および／またはプロセッサを備える。
【００１５】
撮影光学系２２は、一般的な眼底カメラと同様に、次の構成要素を含む：各種のレンズ（合焦レンズ、結像レンズ、フォーカシングレンズ、リレーレンズなど）；レンズ以外の光学素子（絞りイメージセンサ（ＣＣＤイメージセンサ、ＣＭＯＳイメージセンサなど）。また、撮影光学系２２は、光源を含んでいてよい。この光源は、たとえば、赤外光（近赤外光）および／または可視光を発する。
【００１６】
撮影光学系２２は、２以上のカメラを含んだ構成であってもよい。たとえば、光学ユニット２の前面（被検者に対向する面）の異なる位置に２つのカメラを設ける。そして、２つのカメラを用いて異なる方向から前眼部Ｅａを撮影する。すなわち、２つのカメラは、前眼部Ｅａのステレオ撮影を行う。眼科装置１は、２つのカメラにより実質的に同時に取得された２つの画像に基づいて、前眼部Ｅａの位置情報を求めることが可能である。
【００１７】
一方、図１に示す構成例においては、光学系２０が光学ユニット２の内部に格納されている。光学系２０においては、干渉光学系２１から延びる光路と、撮影光学系２２から延びる光路とが、ビームスプリッタ２３によって合成されている。ビームスプリッタ２３としては、たとえば、干渉光学系２１により使用される波長帯および撮影光学系２２により使用される波長帯に応じて、ダイクロイックミラーやハーフミラーが適用される。ビームスプリッタ２３により合成された光路ＯＰには、対物レンズ２４が配置されている。
【００１８】
光学ユニット２の前面にアタッチメント４を装着することが可能である。なお、図１はアタッチメント４が装着されている状態を示しているが、アタッチメント４は、対物レンズ２４と被検眼Ｅとの間に配置される。アタッチメント４が装着される光学ユニット２の部位（またはその近傍）には、装着検知部４１が設けられている。装着検知部４１は、アタッチメント４の装着を検知する。「装着を検知する」とは、たとえば、装着されたことの検知、装着されていることの検知、取り外されたことの検知、取り外されていることの検知など、アタッチメント４の装着に関する任意のイベントの検知および／または任意の状態の検知を意味するものとする。装着検知部４１は、たとえば、アタッチメント４の装着（または取り外し）に応じて発生する所定の物理量の変動を受けてアタッチメント４の装着を検知する。この物理量の例として、磁場の大きさ・方向や、圧力の大きさ（有無）などがある。装着検知部４１は、検出対象である物理量の種別に応じた構成を有する（たとえば磁気センサや圧力センサやマイクロスイッチなど）。また、検出対象である物理量の種別に応じてアタッチメント４に付加的な構成要素が設けられる（たとえば磁石や凸部や凹部など）。
【００１９】
アタッチメント４として、干渉光学系２１を用いて前眼部のＯＣＴを実施するための前眼部撮影用アタッチメント（光学アタッチメント）を適用することが可能である。このアタッチメント４には、少なくとも、干渉光学系２１から出力された測定光を前眼部Ｅａ（角膜等）に集束させるためのレンズが含まれている。すなわち、このレンズは、本来は眼底Ｅｆに集束される測定光を前眼部Ｅａに集束させるように作用する。
【００２０】
移動機構５は、光学ユニット２を移動させるための機構である。移動機構５は、少なくとも前後方向（±ｚ方向）に光学ユニット２を移動させるが、光学ユニット２の移動可能方向はこれには限定されない。光学ユニット２の移動態様は、電動での移動および／または手動での移動である。電動の場合、移動機構５にはアクチュエータ５１が設けられる。アクチュエータ５１は、たとえばパルスモータを含む。アクチュエータ５１は、制御部７からの制御を受けて駆動力を発生する。移動機構５は、アクチュエータ５１により出力された駆動力を光学ユニット２まで伝達する機構を含む。なお、制御部７は、既定のコンピュータプログラムにしたがってアクチュエータ５１を自動制御し、或いは、制御部７は、ユーザインターフェイス８の操作部８２からの操作信号に基づいてアクチュエータ５１を制御する。手動の場合、アクチュエータ５１は設けられていなくてよい。手動の場合、ユーザは、操作部８２を用いて、光学ユニット２を移動させるための操作を行う。この操作により印加された力Ｆ１は、図示しない機構を介して移動機構５まで伝達され、移動機構５によって光学ユニット２を移動させるための力Ｆ２に変換される。
【００２１】
また、干渉光学系２１は、干渉光学系２１の焦点位置を変更する第１合焦レンズ（図示せず）をその光軸方向に移動させるための移動機構２１ａを備える。第１合焦レンズは、１以上のレンズにより構成される。第１合焦レンズの移動態様は、電動での移動および／または手動での移動である。電動の場合、移動機構２１ａにはアクチュエータが設けられる。アクチュエータは、たとえばパルスモータを含む。アクチュエータは、制御部７からの制御を受けて駆動力を発生する。移動機構２１ａは、アクチュエータにより出力された駆動力を第１合焦レンズまで伝達する機構を含む。なお、制御部７は、既定のコンピュータプログラムにしたがってアクチュエータを自動制御し、或いは、制御部７は、ユーザインターフェイス８の操作部８２（合焦操作部８２２）からの操作信号に基づいてアクチュエータを制御する。手動の場合、アクチュエータは設けられていなくてよい。手動の場合、ユーザは、操作部８２（合焦操作部８２２）を用いて、第１合焦レンズを移動させるための操作を行う。この操作により印加された力Ｆ１´は、図示しない機構を介して移動機構２１ａまで伝達され、移動機構２１ａによって第１合焦レンズを移動させるための力Ｆ２´に変換される。
【００２２】
同様に、撮影光学系２２は、撮影光学系２２の焦点位置を変更する第２合焦レンズ（図示せず）をその光軸方向に移動させるための移動機構２２ａを備える。第２合焦レンズは、１以上のレンズにより構成される。第２合焦レンズの移動態様は、電動での移動および／または手動での移動である。電動の場合、移動機構２２ａにはアクチュエータが設けられる。アクチュエータは、たとえばパルスモータを含む。アクチュエータは、制御部７からの制御を受けて駆動力を発生する。移動機構２２ａは、アクチュエータにより出力された駆動力を第２合焦レンズまで伝達する機構を含む。なお、制御部７は、既定のコンピュータプログラムにしたがってアクチュエータを自動制御し、或いは、制御部７は、ユーザインターフェイス８の操作部８２（合焦操作部８２２）からの操作信号に基づいてアクチュエータを制御する。手動の場合、アクチュエータは設けられていなくてよい。手動の場合、ユーザは、操作部８２（合焦操作部８２２）を用いて、第２合焦レンズを移動させるための操作を行う。この操作により印加された力Ｆ１´´は、図示しない機構を介して移動機構２２ａまで伝達され、移動機構２２ａによって第２合焦レンズを移動させるための力Ｆ２´´に変換される。
【００２３】
制御部７は、たとえば、マイクロプロセッサ、ＲＡＭ、ＲＯＭ、ハードディスクドライブ、プログラマブルロジックデバイス、通信インターフェイス等を含んで構成される。制御部７は眼科装置１における各種制御を行う。たとえば、制御部７は、干渉光学系２１の制御、撮影光学系２２の制御、移動機構５（アクチュエータ）の制御、情報出力部８１の制御などを実行する。アタッチメント４に制御可能な構成要素が含まれている場合、制御部７は、当該構成要素の制御を行うことが可能である。
【００２４】
また、制御部７は、画像形成部または画像処理部としての機能を実行することが可能である。たとえば、制御部７は、干渉光学系２１における検出部による干渉光の検出信号に基づいて、被検眼Ｅの断層像の画像データを形成する。たとえば、この処理には、従来のスペクトラルドメインタイプのＯＣＴと同様に、ノイズ除去（ノイズ低減）、フィルタ処理、ＦＦＴ（Ｆａｓｔ  Ｆｏｕｒｉｅｒ  Ｔｒａｎｓｆｏｒｍ）などの処理が含まれている。他のタイプのＯＣＴが適用される場合、制御部７は、そのタイプに応じた公知の処理を実行する。また、制御部７は、撮影光学系２２により撮影して得られた画像を受けて、その画像データに対して所定の画像処理などを施す。
【００２５】
また、制御部７は、各種のデータを記憶する。制御部７に記憶されるデータとしては、たとえば、干渉光学系２１により取得されたデータ（検査データ、撮影データ）や、撮影光学系２２により取得された画像データや、被検者情報や、被検眼情報などがある。また、制御部７には、眼科装置１を動作させるための各種コンピュータプログラムやデータが記憶されている。
【００２６】
ユーザインターフェイス８は、情報出力部８１と、操作部８２とを含む。情報出力部８１は、表示デバイス、音声出力デバイス、印刷デバイスなどを含む。情報出力部８１は、制御部７による制御を受けて動作する。操作部８２は、眼科装置１を操作するためにユーザによって使用される。また、操作部８２は、眼科装置１に対して情報を入力するために使用される。このような操作部８２は、光学系操作部８２１を含む。光学系操作部８２１は、被検眼Ｅに対する光学系２０の合焦を行うための合焦操作部８２２を含む。操作部８２には、眼科装置１の筐体や外部に設けられた各種のボタンやキーやレバーが含まれていてもよい。情報出力部８１と操作部８２は、それぞれ個別のデバイスとして構成される必要はない。たとえばタッチパネルのように、表示機能と操作機能とが一体化されたデバイスを用いることも可能である。情報出力部８１は、この実施形態に係る「表示手段」の一例である。
【００２７】
操作部８２は、眼科装置１により実行される撮影モードを指定するためにユーザによって使用される。この実施形態では、撮影モードには、少なくとも、被検眼Ｅの眼底Ｅｆを撮影するための眼底撮影モードと、被検眼Ｅの前眼部Ｅａを撮影するための前眼部撮影モードとがある。眼科装置１は、アタッチメント４が装着されていない状態で、ＯＣＴにより被検眼Ｅの眼底Ｅｆの撮影を行うことが可能である。この眼科装置１にアタッチメント４を装着することにより、眼科装置１は、ＯＣＴにより被検眼Ｅの前眼部Ｅａの撮影を行うことが可能になる。すなわち、眼科装置１は、アタッチメント４が装着されている第１状態で被検眼Ｅの前眼部Ｅａの撮影を行い、アタッチメント４が装着されていない第２状態で被検眼Ｅの眼底Ｅｆの撮影行うことが可能である。
【００２８】
光学系操作部８２１は、光学系２０の操作を行うためにユーザによって使用される。光学系２０の操作には、干渉光学系２１の焦点位置を変更するための操作、干渉光学系２１におけるＯＣＴ計測用の光路の光路長を変更するための操作、撮影光学系２２の焦点位置を変更するための操作、干渉光学系２１または撮影光学系２２の光源（波長）を切り替えるための操作、干渉光学系２１または撮影光学系２２の光路に対し所定の光学部材を挿脱させるための操作などがある。合焦操作部８２２は、干渉光学系２１や撮影光学系２２の焦点位置を変更するための操作を行うためにユーザによって使用される。制御部７は、光学系操作部８２１から信号の入力を受けたとき、現に実行されている撮影モードに応じて光学系２０の制御を行う。
【００２９】
図２に、図１の制御部７の構成例の機能ブロック図の一例を示す。制御部７は、装着判定部７１と、対応判定部７２とを含む。
【００３０】
装着判定部７１は、アタッチメント４が光学ユニット２に装着されているか否かを判定する。その具体例として、装着判定部７１は、装着検知部４１によるアタッチメント４の装着状態の検知結果を受け、当該検知結果に基づいてアタッチメント４が光学ユニット２に装着されているか否かを判定する。また、光学ユニット２に装着検知部４１が搭載されない場合には、情報出力部８１によりユーザにアタッチメント４が装着されているか否かを問い合わせ、その回答内容を操作部８２に対する操作内容として受け、装着判定部７１は、当該操作内容に基づいてアタッチメント４が光学ユニット２に装着されているか否かを判定してもよい。
【００３１】
対応判定部７２は、操作部８２を用いて指定された撮影モードと装着判定部７１により得られたアタッチメント４の装着状態との対応関係の適否を判定する。操作部８２を用いて指定された撮影モードとアタッチメント４の装着状態との対応関係を示すテーブル情報が、制御部７の図示しない記憶部にあらかじめ記憶されている（図３参照）。対応判定部７２は、記憶部にあらかじめ記憶されたテーブル情報に基づいて、指定された撮影モードとアタッチメント４の装着状態との対応関係の適否を判定することが可能である。
【００３２】
操作部８２を用いて指定された撮影モードが眼底撮影モードであり、装着判定部７１によりアタッチメント４が光学ユニット２に装着されていないと判定された場合、対応判定部７２は、図３に示すテーブル情報に基づいて、撮影モードとアタッチメント４の装着状態との対応関係は適正であると判定する。操作部８２を用いて指定された撮影モードが眼底撮影モードであり、装着判定部７１によりアタッチメント４が光学ユニット２に装着されていると判定された場合、対応判定部７２は、図３に示すテーブル情報に基づいて、撮影モードとアタッチメント４の装着状態との対応関係は適正ではないと判定する。
【００３３】
また、操作部８２を用いて指定された撮影モードが前眼部撮影モードであり、装着判定部７１によりアタッチメント４が光学ユニット２に装着されていないと判定された場合、対応判定部７２は、図３に示すテーブル情報に基づいて、撮影モードとアタッチメント４の装着状態との対応関係は適正ではないと判定する。操作部８２を用いて指定された撮影モードが前眼部撮影モードであり、装着判定部７１によりアタッチメント４が光学ユニット２に装着されていると判定された場合、対応判定部７２は、図３に示すテーブル情報に基づいて、撮影モードとアタッチメント４の装着状態との対応関係は適正であると判定する。
【００３４】
撮影モードとアタッチメント４の装着状態との対応関係が適正であると対応判定部７２により判定された場合、制御部７は、少なくとも、光学系２０の制御を行う。光学系２０の制御には、指定された撮影モードに対応した光学系２０を構成する光学素子の配置制御などの指定された撮影モードでの撮影を準備するための制御や、撮影を開始させるための制御などが含まれる。撮影を準備するための制御には、たとえば、干渉光学系２１や撮影光学系２２の所定の合焦位置に光学素子を移動させる制御や、測定光および／または参照光の光路長を所定の長さに設定するための制御や、当該撮影モードに関連して受け付けられた各種パラメータに応じた光学素子の制御や、適用される光源や波長を切り替える制御などがある。撮影を開始させるための制御には、ユーザに撮影開始を指示させるための画面を情報出力部８１に表示させる制御などがある。
【００３５】
撮影モードとアタッチメント４の装着状態との対応関係が適正ではないと対応判定部７２により判定された場合、制御部７は、少なくとも、指定された撮影モードでの撮影を禁止するための制御を行う。たとえば、撮影を禁止するための制御には、情報出力部８１に報知情報を表示させる表示制御を含む。報知情報の例として、撮影モードにより決められるアタッチメント４の装着状態の誤りを報知するための情報や、撮影モードの切り替えをユーザに促すための情報や、アタッチメント４の装着状態の変更をユーザに促すための情報などがある。
【００３６】
なお、撮影モードとアタッチメント４の装着状態との対応関係が適正ではないと対応判定部７２により判定された後、対応判定部７２がこの対応関係の適否を再度判定し、当該対応関係が適正であると判定された場合、制御部７は、指定された撮影モードの撮影の禁止を解除することが可能である。対応判定部７２による対応関係の適否の再判定タイミングは、後述するように、所定の時間間隔であってもよいし、装着判定部７１による判定タイミングに同期させるようにしてもよい。また、ユーザが所定の操作を行ったことに対応して再判定を実行するようにしてもよい。
【００３７】
これにより、アタッチメント４が装着されていない状態で前眼部撮影モードにより撮影が行われたり、アタッチメント４が装着されている状態で眼底撮影モードにより撮影が行われたりすることがなく、誤った撮影モードで被検眼Ｅを撮影してしまう事態を防止することが可能になる。
【００３８】
［動作］
眼科装置１の動作について説明する。図４は、眼科装置１の動作の一例を表す。
【００３９】
（Ｓ１）
まず、制御部７は、操作部８２に対するユーザの撮影モードの指定を監視し、操作部８２に対してユーザにより指定された撮影モードを受け付ける。
【００４０】
（Ｓ２）
次に、制御部７は、装着判定部７１により、アタッチメント４が光学ユニット２に装着されているか否かを判定する。
【００４１】
（Ｓ３）
次に、制御部７は、対応判定部７２により、たとえば図３に示すテーブル情報にしたがって、Ｓ１において指定された撮影モードとＳ２において判定されたアタッチメント４の装着状態との対応関係の適否を判定する。Ｓ１において指定された撮影モードとＳ２において判定されたアタッチメント４の装着状態との対応関係が適正であると判定されたとき（Ｓ３：Ｙ）、制御部７による制御は、Ｓ４に移行する。一方、Ｓ１において指定された撮影モードとＳ２において判定されたアタッチメント４の装着状態との対応関係が適正ではないと判定されたとき（Ｓ３：Ｎ）、制御部７による制御は、Ｓ９に移行する。
【００４２】
（Ｓ４）
Ｓ３において、Ｓ１において指定された撮影モードとＳ２において判定されたアタッチメント４の装着状態との対応関係が適正であると判定されたとき（Ｓ３：Ｙ）、制御部７は、Ｓ１において指定された撮影モードでの撮影の許可制御を行う。この撮影の許可制御には、Ｓ１において指定された撮影モードによる撮影を行うために光学系２０を構成する光学素子の配置制御などが含まれる。また、たとえば、制御部７は、Ｓ１において指定された撮影モードでの撮影を行うための各種パラメータを設定するための操作部８２に対するユーザの操作入力を受け付け可能に変更し、受け付けられた各種パラメータに応じて光学系２０を制御することも可能である。
【００４３】
Ｓ４では、たとえば、次のような制御が可能である。Ｓ３において対応判定部７２の判定結果に基づいて眼底撮影モードでの撮影が許可された場合、制御部７は、合焦操作部８２２を用いた操作に基づいて撮影光学系２２および干渉光学系２１の双方の合焦位置を移動させることが可能である。一方、Ｓ３において対応判定部７２の判定結果に基づいて前眼部撮影モードでの撮影が許可された場合、制御部７は、干渉光学系２１の合焦位置の移動を禁止し、且つ、合焦操作部８２２を用いた操作に基づいて撮影光学系２２の合焦位置を移動させることが可能である。すなわち、制御部７は、眼底撮影モードが実行されているときに合焦操作部８２２が操作された場合、撮影光学系２２および干渉光学系２１の双方の合焦位置を移動させ、前眼部撮影モードが実行されているときに合焦操作部８２２が操作された場合、撮影光学系２２の合焦位置のみを移動させることが可能である。このように、Ｓ４では、合焦操作部８２２に対する操作に対して同一の操作を行っても、指定された撮影モードに応じた光学系２０の制御が可能である。これにより、撮影モードに応じてユーザの操作性を向上させることができる。
【００４４】
（Ｓ５）
次に、制御部７は、Ｓ１において指定された撮影モードでの撮影開始指示がユーザにより操作部８２に対して行われたか否かを監視する（Ｓ５：Ｎ）。操作部８２に対して撮影開始指示が行われたとき（Ｓ５：Ｙ）、制御部７による制御は、Ｓ６に移行する。
【００４５】
（Ｓ６）
操作部８２に対して撮影開始指示が行われたとき（Ｓ５：Ｙ）、制御部７は、Ｓ２と同様に、装着判定部７１により、アタッチメント４が光学ユニット２に装着されているか否かを判定する。
【００４６】
（Ｓ７）
次に、制御部７は、Ｓ３と同様に、対応判定部７２により、たとえば図３に示すテーブル情報にしたがって、Ｓ１において指定された撮影モードとＳ６において判定されたアタッチメント４の装着状態との対応関係の適否を判定する。Ｓ７は、Ｓ１の撮影モードの指定後にアタッチメント４の装着状態が変更された場合であっても、誤った撮影モードで被検眼Ｅを撮影してしまう事態を防止するために実行される。Ｓ１において指定された撮影モードとＳ６において判定されたアタッチメント４の装着状態との対応関係が適正であると判定されたとき（Ｓ７：Ｙ）、制御部７による制御は、Ｓ８に移行する。一方、Ｓ１において指定された撮影モードとＳ６において判定されたアタッチメント４の装着状態との対応関係が適正ではないと判定されたとき（Ｓ７：Ｎ）、制御部７による制御は、Ｓ１１に移行する。
【００４７】
（Ｓ８）
制御部７は、Ｓ１において指定された撮影モードで、且つ、Ｓ４において制御された光学系２０の配置で、被検眼Ｅの撮影を行う。
【００４８】
（Ｓ９）
Ｓ３において、Ｓ１において指定された撮影モードとＳ２において判定されたアタッチメント４の装着状態との対応関係が適正ではないと判定されたとき（Ｓ３：Ｎ）、制御部７は、Ｓ１において指定された撮影モードでの撮影の禁止制御を行う。この撮影の禁止制御には、情報出力部８１に報知情報を表示させる表示制御を含む。報知情報には、上記のようにアタッチメント４の装着状態の変更をユーザに促すための情報などがある。
【００４９】
（Ｓ１０）
Ｓ９の禁止制御が所定の繰り返し回数以内のとき（Ｓ１０：Ｙ）、制御部７による制御は、Ｓ２に移行する。これにより、所定の繰り返し回数以内で、Ｓ１において指定された撮影モードでの撮影の禁止を解除することが可能になる。一方、Ｓ９の禁止制御が所定の繰り返し回数以内ではないとき（Ｓ１０：Ｎ）、制御部７による制御は、Ｓ１に移行する。
【００５０】
Ｓ１において指定された撮影モードでの撮影の禁止を解除する場合、所定の時間が経過したときにＳ１０からＳ２に移行させることが可能である。また、装着判定部７１によって新たな装着状態の判定タイミングに同期させて、Ｓ１０からＳ２に移行させることが可能である。
【００５１】
（Ｓ１１）
Ｓ７において、Ｓ１において指定された撮影モードとＳ６において判定されたアタッチメント４の装着状態との対応関係が適正ではないと判定されたとき（Ｓ７：Ｎ）、制御部７は、Ｓ１において指定された撮影モードでの撮影の禁止制御を行う。この撮影の禁止制御には、Ｓ９と同様に、情報出力部８１に報知情報を表示させる表示制御を含む。
【００５２】
（Ｓ１２）
Ｓ１１の禁止制御が所定の繰り返し回数以内のとき（Ｓ１２：Ｙ）、制御部７による制御は、Ｓ６に移行する。これにより、所定の繰り返し回数以内で、Ｓ１において指定された撮影モードでの撮影の禁止を解除することが可能になる。一方、Ｓ１１の禁止制御が所定の繰り返し回数以内ではないとき（Ｓ１２：Ｎ）、制御部７による制御は、Ｓ１に移行する。
【００５３】
Ｓ１において指定された撮影モードでの撮影の禁止を解除する場合、所定の時間が経過したときにＳ１２からＳ６に移行させることが可能である。また、装着判定部７１によって新たな装着状態の判定タイミングに同期させて、Ｓ１２からＳ６に移行させることが可能である。
【００５４】
［効果］
眼科装置１の効果について説明する。
【００５５】
眼科装置１は、アタッチメント４が装着されていない第１状態で被検眼Ｅの撮影を行う眼底撮影モード（第１撮影モード）と、アタッチメント４が装着されている第２状態で被検眼Ｅの撮影を行う前眼部撮影モード（第２撮影モード）とを選択的に実行可能な装置である。眼科装置１は、操作部８２と、装着判定部７１と、対応判定部７２と、制御部７とを含む。操作部８２は、撮影モードを指定するために用いられる。装着判定部７１は、アタッチメント４が装着されているか否かを判定する。対応判定部７２は、操作部８２を用いて指定された撮影モードと装着判定部７１により得られたアタッチメント４の装着状態との対応関係の適否を判定する。制御部７は、対応関係が適正ではないと対応判定部７２により判定された場合、少なくとも、指定された撮影モードでの撮影を禁止するための制御を行う。
【００５６】
このような構成によれば、撮影モードの指定内容とアタッチメントの装着状態とが適正に対応しているか否かを撮影前に判定し、適正ではないと判定されたときに当該撮影モードでの撮影の禁止を制御することが可能になる。これにより、誤った撮影モードで被検眼Ｅを撮影してしまう事態を防止することが可能である。
【００５７】
また、対応関係が適正ではないと対応判定部７２により判定された後、対応判定部７２が対応関係の適否を再度判定し、対応関係が適正であると判定された場合、制御部７は、指定された撮影モードでの撮影の禁止を解除してもよい。
【００５８】
このような構成によれば、撮影モードに対応したアタッチメントの装着状態が適正ではなく、当該撮影モードでの撮影を禁止する制御が行われた場合であっても、対応判定部７２による再度の判定を行うことで、撮影禁止制御後の禁止を解除することができる。これにより、ユーザが誤った撮影モードで被検眼Ｅを撮影しようとして撮影の禁止制御が行われた場合であっても、撮影モードやアタッチメント４の装着状態を変更することにより、所望の撮影モードで被検眼Ｅを撮影することが可能になる。
【００５９】
また、眼科装置１は、被検眼を撮影するための光学系２０を含み、対応関係が適正であると対応判定部７２により判定された場合、制御部７は、指定された撮影モードに応じて光学系２０の制御を行ってもよい。
【００６０】
このような構成によれば、対応関係が適正であると判定された場合、当該撮影モードでの撮影の準備などの制御が行われ、ユーザにとって使い勝手の良い眼科装置１を提供することが可能になる。
【００６１】
また、撮影を禁止するための制御は、情報出力部８１（表示手段）に報知情報を表示させる表示制御を含んでもよい。
【００６２】
このような構成によれば、誤った撮影モードで被検眼Ｅを撮影してしまう事態を事前にユーザに報知することが可能になる。
【００６３】
また、アタッチメント４は、前眼部を撮影するための光学アタッチメントであり、第１撮影モードは、眼底撮影モードであり、第２撮影モードは、前眼部撮影モードであってもよい。
【００６４】
このような構成によれば、前眼部を撮影するためのアタッチメント４が装着されていない状態で前眼部撮影モードにより撮影が行われたり、前眼部を撮影するためのアタッチメント４が装着されている状態で眼底撮影モードにより撮影が行われたりすることがなく、誤った撮影モードで被検眼Ｅを撮影してしまう事態を防止することが可能になる。
【００６５】
また、眼科装置１は、被検眼Ｅを撮影するための光学系２０と、光学系２０の操作を行うための光学系操作部８２１とを含み、制御部７は、光学系操作部８２１から信号の入力を受けたとき、現に実行されている撮影モードに応じて光学系２０の制御を行うことが可能である。
【００６６】
このような構成によれば、操作部８２を用いて指定された撮影モードに応じて、光学系操作部８２１により光学系２０の操作内容を変更することができる。これにより、ユーザは、撮影モードに応じた光学系２０の制御が可能になり、操作性を向上させることができる。
【００６７】
また、眼科装置１は、少なくとも眼底撮影モードおよび前眼部撮影モードを実行可能であり、光学系２０は、被検眼Ｅの眼底Ｅｆを撮影するための撮影光学系と、ＯＣＴにより被検眼Ｅに関する情報を取得するための干渉光学系２１とを含み、光学系操作部８２１は、被検眼Ｅに対する光学系２０の合焦を行うための合焦操作部８２２を含み、制御部７は、眼底撮影モードが実行されているときに合焦操作部８２２が操作された場合、撮影光学系２２および干渉光学系２１の双方の合焦位置を移動させ、前眼部撮影モードが実行されているときに合焦操作部８２２が操作された場合、撮影光学系２２の合焦位置のみを移動させてもよい。
【００６８】
このような構成によれば、光学系操作部８２１に対する操作に対して同一の操作を行っても、指定された撮影モードに応じた光学系２０の制御が可能である。これにより、撮影モードに応じてユーザの操作性を向上させることができる。
【００６９】
〔第２実施形態〕
第１実施形態では、指定された撮影モードとアタッチメント４の装着状態との対応関係の適否に基づいて、当該撮影モードでの撮影を禁止する場合について説明したが、これに限定されるものではない。第２実施形態では、指定された撮影モードとアタッチメント４の種別との対応関係の適否に基づいて、当該撮影モードでの撮影を禁止する。以下では、第２実施形態に係る眼科装置について、第１実施形態との相違点を中心に説明する。
【００７０】
第２実施形態に係る眼科装置の光学ユニットには、２以上の撮影モードに対応する２以上のアタッチメントが選択的に装着可能である。たとえば、２以上の撮影モードには、眼底や前眼部だけではなく、硝子体や水晶体などの被検眼の任意の部位を撮影対象部位とする撮影モードが含まれる。また、アタッチメントもまた、撮影対象部位ごとに用意され、これらが選択的に眼科装置に適用される。
【００７１】
このような第２実施形態に係る眼科装置の構成が第１実施形態に係る眼科装置１の構成と異なる点は、制御部７に代えて制御部７ａが適用された点である。
【００７２】
図５に、第２実施形態に係る制御部の構成例の機能ブロック図を示す。図５において、図２と同様の部分には同一符号を付し、適宜説明を省略する。制御部７ａは、装着判定部７１と、対応判定部７２ａと、種別特定部７３ａとを含む。
【００７３】
装着判定部７１は、アタッチメント４が光学ユニット２に装着されているか否かを判定する。
【００７４】
種別特定部７３ａは、装着判定部７１により装着されていると判定されたアタッチメント４の種別を特定する。アタッチメント４の種別には、前眼部撮影用アタッチメントや、水晶体撮影用アタッチメントなどがある。たとえば、種別特定部７３ａは、アタッチメント４の装着（または取り外し）に応じて発生する所定の物理量に基づいて、アタッチメント４の種別を特定する。装着検知部４１が磁気センサによりアタッチメント４の装着状態を検知する場合、種別特定部７３ａは、アタッチメント４の装着（または取り外し）に応じて発生する磁力の強さまたはその変動（量、方向）に基づいて、アタッチメント４の種別を特定することが可能である。装着検知部４１が圧力センサによりアタッチメント４の装着状態を検知する場合、種別特定部７３ａは、アタッチメント４の装着（または取り外し）に応じて発生する圧力またはその変動に基づいて、アタッチメント４の種別を特定することが可能である。
【００７５】
また、装着検知部４１が複数のマイクロスイッチを含み、装着されたアタッチメント４の種別に応じてオンになるマイクロスイッチが異なるようにこれらマイクロスイッチが配置されている場合、種別特定部７３ａは、オンになったマイクロスイッチを特定することにより、アタッチメント４の種別を特定することができる。また、種別特定部７３ａは、撮影光学系２２が有するカメラ（たとえば、ステレオ撮影を行うカメラ）からの画像に基づいて、アタッチメントの種別を特定してもよい。
【００７６】
この実施形態では、光学ユニット２にアタッチメント４が装着されていないと装着判定部７１により判定された場合、種別特定部７３ａは、アタッチメント４の種別として「種別なし」と特定する。
【００７７】
対応判定部７２ａは、操作部８２を用いて指定された撮影モードと種別特定部７３ａにより特定されたアタッチメント４の種別との対応関係の適否を判定する。操作部８２を用いて指定された撮影モードとアタッチメント４の種別との対応関係を示すテーブル情報が、制御部７ａの図示しない記憶部にあらかじめ記憶されている（図６参照）。対応判定部７２ａは、記憶部にあらかじめ記憶されたテーブル情報に基づいて、指定された撮影モードとアタッチメント４の種別との対応関係の適否を判定することが可能である。
【００７８】
操作部８２を用いて指定された撮影モードが眼底撮影モードであり、種別特定部７３ａによりアタッチメント４の種別が「種別なし」として特定された（装着判定部７１によりアタッチメント４が光学ユニット２に装着されていないと判定された）場合、対応判定部７２ａは、図６に示すテーブル情報に基づいて、撮影モードとアタッチメント４の種別との対応関係は適正であると判定する。操作部８２を用いて指定された撮影モードが眼底撮影モードであり、種別特定部７３ａによりアタッチメント４の種別が特定された（装着判定部７１によりアタッチメント４が光学ユニット２に装着されていると判定された）場合、対応判定部７２ａは、図６に示すテーブル情報に基づいて、撮影モードとアタッチメント４の種別との対応関係は適正ではないと判定する。
【００７９】
また、操作部８２を用いて指定された撮影モードが前眼部撮影モードであり、種別特定部７３ａによりアタッチメント４の種別が「種別なし」として特定された場合、対応判定部７２ａは、図６に示すテーブル情報に基づいて、撮影モードとアタッチメント４の種別との対応関係は適正ではないと判定する。操作部８２を用いて指定された撮影モードが前眼部撮影モードであり、種別特定部７３ａにより光学ユニット２に装着されたアタッチメント４が前眼部撮影用アタッチメントであると特定された場合、対応判定部７２ａは、図６に示すテーブル情報に基づいて、撮影モードとアタッチメント４の種別との対応関係は適正であると判定する。
【００８０】
撮影モードとアタッチメント４の種別との対応関係が適正であると対応判定部７２ａにより判定された場合、制御部７ａは、少なくとも、光学系２０の制御を行う。光学系２０の制御には、第１実施形態と同様に、指定された撮影モードに対応した光学系２０を構成する光学素子の配置制御などの指定された撮影モードでの撮影を準備するための制御や、撮影を開始させるための制御などが含まれる。
【００８１】
撮影モードとアタッチメント４の種別との対応関係が適正ではないと対応判定部７２ａにより判定された場合、制御部７ａは、少なくとも、指定された撮影モードでの撮影を禁止するための制御を行う。たとえば、撮影を禁止するための制御には、情報出力部８１に報知情報を表示させる表示制御を含む。報知情報の例として、撮影モードにより決められるアタッチメント４の種別の誤りを報知するための情報や、撮影モードの切り替えをユーザに促すための情報や、アタッチメント４の種別の変更をユーザに促すための情報などがある。
【００８２】
なお、撮影モードとアタッチメント４の種別との対応関係が適正ではないと対応判定部７２ａにより判定された後、対応判定部７２ａがこの対応関係の適否を再度判定し、当該対応関係が適正であると判定された場合、制御部７ａは、指定された撮影モードの撮影の禁止を解除することが可能である。対応判定部７２ａによる対応関係の適否の再判定タイミングは、後述するように、所定の時間が経過したときに行われてもよいし、装着判定部７１による判定タイミングや種別特定部７３ａによる種別特定タイミングに同期させるようにしてもよい。
【００８３】
これにより、たとえば光学ユニット２に装着されたアタッチメント４の種別が正しくない状態で前眼部撮影モードにより撮影が行われることがなく、誤った撮影モードまたはアタッチメントで被検眼Ｅを撮影してしまう事態を防止することが可能になる。
【００８４】
［動作］
この実施形態に係る眼科装置の動作について説明する。図７は、この実施形態に係る眼科装置の動作の一例を表す。
【００８５】
（Ｓ２１）
まず、制御部７ａは、操作部８２に対するユーザの撮影モードの指定を監視し、操作部８２に対してユーザにより指定された撮影モードを受け付ける。
【００８６】
（Ｓ２２）
次に、制御部７ａは、装着判定部７１により、アタッチメント４が光学ユニット２に装着されているか否かを判定する。また、制御部７ａは、種別特定部７３ａにより、装着判定部７１により光学ユニット２に装着されていると判定されたアタッチメント４の種別を特定する。
【００８７】
（Ｓ２３）
次に、制御部７ａは、対応判定部７２ａにより、たとえば図６に示すテーブル情報にしたがって、Ｓ２１において指定された撮影モードとＳ２２において特定されたアタッチメント４の種別との対応関係の適否を判定する。Ｓ２１において指定された撮影モードとＳ２２において特定されたアタッチメント４の種別との対応関係が適正であると判定されたとき（Ｓ２３：Ｙ）、制御部７ａによる制御は、Ｓ２４に移行する。一方、Ｓ２１において指定された撮影モードとＳ２２において特定されたアタッチメント４の種別との対応関係が適正ではないと判定されたとき（Ｓ２３：Ｎ）、制御部７ａによる制御は、Ｓ２９に移行する。
【００８８】
（Ｓ２４）
Ｓ２３において、Ｓ２１において指定された撮影モードとＳ２２において特定されたアタッチメント４の種別との対応関係が適正であると判定されたとき（Ｓ２３：Ｙ）、制御部７ａは、Ｓ２１において指定された撮影モードでの撮影の許可制御を行う。この撮影の許可制御には、Ｓ２１において指定された撮影モードによる撮影を行うために光学系２０を構成する光学素子の配置制御などが含まれる。また、たとえば、制御部７ａは、Ｓ２１において指定された撮影モードでの撮影を行うための各種パラメータを設定するための操作部８２に対するユーザの操作入力を受け付け可能に変更し、受け付けられた各種パラメータに応じて光学系２０を制御することも可能である。
【００８９】
Ｓ２４では、たとえば、Ｓ４と同様に、次のような制御が可能である。Ｓ２３において対応判定部７２ａの判定結果に基づいて眼底撮影モードでの撮影が許可された場合、制御部７ａは、合焦操作部８２２を用いた操作に基づいて撮影光学系２２および干渉光学系２１の双方の合焦位置を移動させることが可能である。一方、Ｓ２３において対応判定部７２ａの判定結果に基づいて前眼部撮影モードでの撮影が許可された場合、制御部７ａは、干渉光学系２１の合焦位置の移動を禁止し、且つ、合焦操作部８２２を用いた操作に基づいて撮影光学系２２の合焦位置を移動させることが可能である。
【００９０】
（Ｓ２５）
次に、制御部７ａは、Ｓ２１において指定された撮影モードでのユーザによる撮影開始指示が操作部８２に対して行われたか否かを監視する（Ｓ２５：Ｎ）。操作部８２に対して撮影開始指示が行われたとき（Ｓ２５：Ｙ）、制御部７ａによる制御は、Ｓ２６に移行する。
【００９１】
（Ｓ２６）
操作部８２に対して撮影開始指示が行われたとき（Ｓ２５：Ｙ）、制御部７ａは、Ｓ２２と同様に、装着判定部７１により、アタッチメント４が光学ユニット２に装着されているか否かを判定する。また、制御部７ａは、種別特定部７３ａにより、装着判定部７１により光学ユニット２に装着されていると判定されたアタッチメント４の種別を特定する。
【００９２】
（Ｓ２７）
次に、制御部７ａは、Ｓ２３と同様に、対応判定部７２ａにより、たとえば図６に示すテーブル情報にしたがって、Ｓ２１において指定された撮影モードとＳ２６において特定されたアタッチメント４の種別との対応関係の適否を判定する。Ｓ２７は、Ｓ７と同様に、Ｓ２１の撮影モードの指定後にアタッチメント４の種別（装着状態を含めて）が変更された場合であっても、誤った撮影モードで被検眼を撮影してしまう事態を防止するために実行される。Ｓ２１において指定された撮影モードとＳ２６において特定されたアタッチメント４の種別との対応関係が適正であると判定されたとき（Ｓ２７：Ｙ）、制御部７ａによる制御は、Ｓ２８に移行する。一方、Ｓ２１において指定された撮影モードとＳ２６において特定されたアタッチメント４の種別との対応関係が適正ではないと判定されたとき（Ｓ２７：Ｎ）、制御部７ａによる制御は、Ｓ３１に移行する。
【００９３】
（Ｓ２８）
制御部７ａは、Ｓ２１において指定された撮影モードで、且つ、Ｓ２４において制御された光学系２０の配置で、被検眼Ｅの撮影を行う。
【００９４】
（Ｓ２９）
Ｓ２３において、Ｓ２１において指定された撮影モードとＳ２２において特定されたアタッチメント４の種別との対応関係が適正ではないと判定されたとき（Ｓ２３：Ｎ）、制御部７ａは、Ｓ９と同様に、Ｓ２１において指定された撮影モードでの撮影の禁止制御を行う。
【００９５】
（Ｓ３０）
Ｓ２９の禁止制御が所定の繰り返し回数以内のとき（Ｓ３０：Ｙ）、制御部７ａによる制御は、Ｓ２２に移行する。これにより、所定の繰り返し回数以内で、Ｓ２１において指定された撮影モードでの撮影の禁止を解除することが可能になる。一方、Ｓ２９の禁止制御が所定の繰り返し回数以内ではないとき（Ｓ３０：Ｎ）、制御部７ａによる制御は、Ｓ２１に移行する。
【００９６】
Ｓ２１において指定された撮影モードでの撮影の禁止を解除する場合、所定の時間が経過したときにＳ３０からＳ２２に移行させることが可能である。また、装着判定部７１による新たな装着状態の判定タイミングまたは種別特定部７３ａによる新たな種別特定タイミングに同期させて、Ｓ３０からＳ２２に移行させることが可能である。
【００９７】
（Ｓ３１）
Ｓ２７において、Ｓ２１において指定された撮影モードとＳ２６において特定されたアタッチメント４の種別との対応関係が適正ではないと判定されたとき（Ｓ２７：Ｎ）、制御部７ａは、Ｓ１１と同様に、Ｓ２１において指定された撮影モードでの撮影の禁止制御を行う。
【００９８】
（Ｓ３２）
Ｓ３１の禁止制御が所定の繰り返し回数以内のとき（Ｓ３２：Ｙ）、制御部７ａによる制御は、Ｓ２６に移行する。これにより、所定の繰り返し回数以内で、Ｓ２１において指定された撮影モードでの撮影の禁止を解除することが可能になる。一方、Ｓ３１の禁止制御が所定の繰り返し回数以内ではないとき（Ｓ３２：Ｎ）、制御部７ａによる制御は、Ｓ２１に移行する。
【００９９】
Ｓ２１において指定された撮影モードでの撮影の禁止を解除する場合、所定の時間が経過したときにＳ３２からＳ２６に移行させることが可能である。また、装着判定部７１による新たな装着状態の判定タイミングまたは種別特定部７３ａによる新たな種別特定タイミングに同期させて、Ｓ３２からＳ２６に移行させることが可能である。
【０１００】
［効果］
この実施形態に係る眼科装置の効果について説明する。
【０１０１】
この実施形態に係る眼科装置は、２以上の撮影モードに対応する２以上のアタッチメントが選択的に装着された状態で被検眼Ｅの撮影を行う。眼科装置は、操作部８２と、種別特定部７３ａと、対応判定部７２ａと、制御部７ａとを含む。操作部８２は、撮影モードを指定するために用いられる。種別特定部７３ａは、装着されているアタッチメント４の種別を特定する。対応判定部７２ａは、操作部８２を用いて指定された撮影モードと種別特定部７３ａにより得られたアタッチメントの種別との対応関係の適否を判定する。制御部７ａは、対応関係が適正ではないと対応判定部７２ａにより判定された場合、少なくとも、指定された撮影モードでの撮影を禁止するための制御を行う。
【０１０２】
このような構成によれば、撮影モードの指定内容とアタッチメントの種別とが適正に対応しているか否かを撮影前に判定し、適正ではないと判定されたときに当該撮影モードでの撮影の禁止を制御することが可能になる。これにより、誤った撮影モードで被検眼Ｅを撮影してしまう事態を防止することが可能である。
【０１０３】
以上に説明した構成は、この発明を好適に実施するための一例に過ぎない。よって、この発明の要旨の範囲内における任意の変形（省略、置換、付加等）を適宜に施すことが可能である。
【０１０４】
たとえば、アタッチメントの装着状態に応じて解析モードを切り替えることにより、当該アタッチメントに対応した被検眼の撮影画像の解析処理を行う場合に、上記の実施形態のいずれかを適用することが可能である。解析モードの切り替えの例として、眼底解析モードと前眼部解析モードとの切り替えがある。眼底解析モードでは、たとえば、網膜厚、層形状、病変の態様（ドルーゼン分布等）などがＯＣＴ画像や眼底像に基づき評価される。前眼部解析モードでは、たとえば、角膜厚、角膜形状、隅角などがＯＣＴ画像や前眼部像に基づき評価される。また、たとえば、アタッチメントの装着状態に応じてスキャンモードを切り替えることにより、当該アタッチメントに対応した被検眼のスキャン画像を取得する場合にも、上記の実施形態のいずれかを適用することが可能である。スキャンモードの例として、ＯＣＴ画像を取得するための測定光のスキャンパターンがある。
【０１０５】
また、たとえば、画角を変更するための光学部材を有するアタッチメントの装着状態に応じて通常画角モードや広角撮影モードなどに切り替えることにより撮影画角を切り替える場合にも、上記の実施形態のいずれかを適用することが可能である。また、たとえば、被検眼の屈折力に応じた光学部材を有するアタッチメントの装着状態に応じて通常眼撮影モードや（超）強度近視眼撮影モードなどに切り替えることにより被検眼に適用される屈折力を切り替える場合にも、上記の実施形態のいずれかを適用することが可能である。
【０１０６】
撮影モードの指定は、撮影モード自体を指定する操作には限定されない。たとえば、疾患名と撮影モードとをあらかじめ関連付けておくことができる。診断（または治療）に関する疾患名を指定する操作が行われたことに対応し、指定された疾患名に関連付けられた撮影モードを（自動で）選択することができる。なお、複数の撮影モードに関連付けられる疾患も存在する。このような場合、２以上の撮影モードに順序を付すことが可能である。たとえば緑内障の診断においては、眼底（視神経乳頭等）と前眼部（隅角等）の双方を考慮することがある。緑内障モードに対して眼底撮影モードと前眼部撮影モードが関連付けられ、眼底撮影モードに「順序１」が付され、前眼部撮影モードに「順序２」が付されている場合において、緑内障モードが指定されると、「順序１」が付された眼底撮影モードがまず選択される。この場合、緑内障モードの指定操作が眼底撮影モードの指定に相当する。さらに、眼底撮影モードの終了トリガまたは前眼部撮影モードの開始トリガを前眼部撮影モードの指定とみなすことが可能である。
【符号の説明】
【０１０７】
１  眼科装置
２  光学ユニット
２０  光学系
２１  干渉光学系
２１ａ、２２ａ、５  移動機構
２２  撮影光学系
４  アタッチメント
４１  装着検知部
７、７ａ  制御部
７１  装着判定部
７２、７２ａ  対応判定部
７３ａ  種別特定部
８１  情報出力部
８２  操作部
８２１  光学系操作部
８２２  合焦操作部
Ｅ  被検眼
Ｅａ  前眼部
Ｅｆ  眼底
【図１】
2020075139.tif 000003
【図２】
2020075139.tif 000004
【図３】
2020075139.tif 000005
【図４】
2020075139.tif 000006
【図５】
2020075139.tif 000007
【図６】
2020075139.tif 000008
【図７】
2020075139.tif 000009